(57)【要約】      （修正有）【課題】幅広の面を有する扁平管を採用した場合に、熱交換性能を発揮させる熱交換器を提供する。【解決手段】ヘッダー１４は、各扁平管１１の端部が接続され、ヘッダー１４は、外側部材４１と、仕切り部材４２とを有する。外側部材４１は、鉛直方向に延びる連続空間を形成し、仕切り部材４２は、連続面４２ａと、複数の開口４２ｂとを含む。連続面４２ａは、鉛直方向に連続して連続空間の内部を仕切り、第１空間４４と第２空間４５とを形成する。第１空間４４は、二相冷媒を上方に誘導し、第２空間４５は、二相冷媒を各扁平管１１に分配する。複数の開口４２ｂは、連続面４２ａに形成され第１空間と第２空間とをつなぎ、空気の流れ方向に対して下流側に位置する扁平管１１の第１部分よりも、空気の流れ方向に対して上流側に位置する扁平管１１の第２部分に対して冷媒が多く流れるように形成される。【選択図】図８
2014037899.tif 000002
【特許請求の範囲】
【請求項１】
水平方向に沿って延びる複数の扁平管（１１）と、
鉛直方向に沿って延び、各扁平管の端部が接続されて、前記各扁平管に二相冷媒を分流させるヘッダー（１４，１６，１８）と、
を備え、
前記ヘッダーは、
鉛直方向に延びる連続空間を形成する外側部材（４１，６１，８１）と、
鉛直方向に連続して前記連続空間の内部を仕切り、前記二相冷媒を上方に誘導する第１空間（４４，６４，８４）と前記二相冷媒を前記各扁平管に分配する第２空間（４５，６５，８５）とを形成する連続面（４２ａ，６３ａ，８２ａ，１４２ａ）と、前記連続面に形成され前記第１空間と前記第２空間とをつなぐ複数の開口（４２ｂ，６３ｂ，８２ｂ，１４２ｂ）とを含む仕切り部材（４２，６２ａ〜６２ｃ，８２，１４２）と、
を有し、
前記複数の開口は、空気の流れ方向に対して下流側に位置する前記扁平管の第１部分よりも、前記空気の流れ方向に対して上流側に位置する前記扁平管の第２部分に対して冷媒が多く流れるように形成される、
熱交換器。
【請求項２】
前記複数の開口は、鉛直方向に沿って配置されるように前記連続面に形成されている、
請求項１に記載の熱交換器。
【請求項３】
前記開口は、下流側に位置する前記扁平管の前記第１部分よりも、上流側に位置する前記扁平管の前記第２部分に近い位置に形成される、
請求項１または２に記載の熱交換器。
【請求項４】
前記外側部材は、円筒状である、
請求項１から３のいずれかに記載の熱交換器。
【請求項５】
前記連続面は、前記扁平管の端面に対して所定の傾きを有する、
請求項１から４のいずれかに記載の熱交換器。
【請求項６】
前記仕切り部材は、平板部材である、
請求項１から５のいずれかに記載の熱交換器。
【請求項７】
前記仕切り部材は、前記空気の流れ方向に対して下流側に位置する前記仕切り部材の第１端部が、前記空気の流れ方向に対して上流側に位置する前記仕切り部材の第２端部よりも前記扁平管の端面に近い位置にくるように配置される、
請求項６に記載の熱交換器。
【請求項８】
前記開口は、前記仕切り部材の前記第２端部近傍の前記連続面に形成される、
請求項７に記載の熱交換器。
【請求項９】
前記仕切り部材は、断面形状がＶ字である、
請求項１から５のいずれかに記載の熱交換器。
【請求項１０】
前記仕切り部材は、円筒部材である、
請求項１から５のいずれかに記載の熱交換器。
【請求項１１】
前記二相冷媒は、Ｒ３２冷媒である、
請求項１から１０のいずれかに記載の熱交換器。
【発明の詳細な説明】
【技術分野】
【０００１】
本発明は、熱交換器に関する。
【背景技術】
【０００２】
従来から、特許文献１（特開２０１１−０９９６６４号公報）に示すように、複数の扁平管を利用した熱交換器が利用されてきた。熱交換器は、主として、複数の扁平管と、ヘッダーとによって構成される。ヘッダーは、各扁平管の端部を接続させる部材である。複数の扁平管は、ヘッダーの側面に形成された孔に挿し込まれてヘッダーに接続される。ヘッダーは、接続された複数の扁平管に冷媒を分流する機能を有する。
【発明の概要】
【発明が解決しようとする課題】
【０００３】
ところで、熱交換器の熱交換性能を向上させるため、空気の流れ方向に沿って幅広の面を有する扁平管を採用することが考えられる。しかし、空気の流れ方向に対して上流側に位置する扁平管の部分を流れる冷媒と、空気の流れ方向に対して下流側に位置する扁平管の部分を流れる冷媒とでは、熱負荷に大きな差が生じる。その結果、熱交換性能を十分に発揮することが困難である。
【０００４】
そこで、本発明の課題は、幅広の面を有する扁平管を採用した場合に、熱交換性能を発揮させる熱交換器を提供することにある。
【課題を解決するための手段】
【０００５】
本発明の第１の観点に係る熱交換器は、複数の扁平管と、ヘッダーとを備える。複数の扁平管は、水平方向に沿って延びる。ヘッダーは、鉛直方向に沿って延びる。ヘッダーは、各扁平管の端部が接続されて、各扁平管に二相冷媒を分流させる。また、ヘッダーは、外側部材と、仕切り部材とを有する。外側部材は、鉛直方向に延びる連続空間を形成する。仕切り部材は、連続面と、複数の開口とを含む。連続面は、鉛直方向に連続して連続空間の内部を仕切り第１空間と第２空間とを形成する。第１空間は、二相冷媒を上方に誘導する。第２空間は、二相冷媒を各扁平管に分配する。複数の開口は、連続面に形成され第１空間と第２空間とをつなぐ。また、複数の開口は、空気の流れ方向に対して下流側に位置する扁平管の第１部分よりも、空気の流れ方向に対して上流側に位置する扁平管の第２部分に対して冷媒が多く流れるように形成される。
【０００６】
この熱交換器は、外側部材によって形成される連続空間に仕切り部材を配置することによって、連続空間内に第１空間と第２空間とが形成される。二相冷媒は、第１空間を通って上方に誘導される。その後、冷媒は、仕切り部材の連続面に形成された複数の開口から第２空間に向けて冷媒を噴き出される。複数の開口は、空気の流れ方向に対して下流側に位置する扁平管の第１部分よりも、空気の流れ方向に対して上流側に位置する扁平管の第２部分に対して冷媒が多く流れるように形成される。これにより、熱交換器の熱交換性能を発揮させることができる。
【０００７】
本発明の第２の観点に係る熱交換器は、第１の観点に係る熱交換器であって、複数の開口は、鉛直方向に沿って配置されるように連続面に形成されている。
【０００８】
この熱交換器では、仕切り部材の連続面において、鉛直方向に沿って配置されるように形成されている。これにより、異なる高さ位置に配置された各扁平管に対して適宜冷媒を送ることができる。
【０００９】
本発明の第３の観点に係る熱交換器は、第１または第２の観点に係る熱交換器であって、開口は、下流側に位置する扁平管の第１部分よりも、上流側に位置する扁平管の第２部分に近い位置に形成される。
【００１０】
この熱交換器は、開口が、下流側に位置する扁平管の第１部分よりも、上流側に位置する扁平管の第２部分に近い位置にある連続面の部分に形成されている。これにより、下流側に位置する扁平管の部分よりも、上流側に位置する扁平管の部分に対して多くの冷媒を誘導することができる。
【００１１】
本発明の第４の観点に係る熱交換器は、第１から第３の観点のいずれかに係る熱交換器であって、外側部材は、円筒状である。
【００１２】
この熱交換器は、円筒状の外側部材を有する。これにより、耐圧強度を向上させることができる。
【００１３】
本発明の第５の観点に係る熱交換器は、第１から第４の観点のいずれかに係る熱交換器であって、連続面は、扁平管の端面に対して所定の傾きを有する。
【００１４】
この熱交換器では、仕切り部材の連続面が、扁平管の端面に対して傾いている。これにより、空気の流れ方向において下流側に位置する扁平管の第１部分と上流側に位置する扁平管の第２部分とに対して、異なる量の冷媒を効果的に導くことができる。
【００１５】
本発明の第６の観点に係る熱交換器は、第１から第５の観点のいずれかに係る熱交換器であって、仕切り部材は、平板部材である。
【００１６】
この熱交換器は、平板状の仕切り部材を備える。これにより、製造工数を減らすことができる。
【００１７】
本発明の第７の観点に係る熱交換器は、第６の観点に係る熱交換器であって、仕切り部材は、空気の流れ方向に対して下流側に位置する仕切り部材の第１端部が、空気の流れ方向に対して上流側に位置する仕切り部材の第２端部よりも扁平管の端面に近い位置にくるように配置される。
【００１８】
この熱交換器は、空気の流れ方向に対して下流側に位置する仕切り部材の第１端部が、空気の流れ方向に対して上流側に位置する仕切り部材の第２端部よりも扁平管の端面に近い位置にくるように、仕切り部材が配置される。これにより、空気の流れ方向において上流側の扁平管の端部に対して、より効果的に冷媒を導くことができる。
【００１９】
本発明の第８の観点に係る熱交換器は、第７の観点に係る熱交換器であって、開口は、仕切り部材の第２端部近傍の連続面に形成される。
【００２０】
この熱交換器は、仕切り部材の第２端部近傍の連続面に形成された開口を有する。これにより、空気の流れ方向において上流側の扁平管の端部に対して、直接的に冷媒を導くことができる。
【００２１】
本発明の第９の観点に係る熱交換器は、第１から第５の観点のいずれかに係る熱交換器であって、仕切り部材は、断面形状がＶ字である。
【００２２】
この熱交換器は、断面形状がＶ字の仕切り部材を有する。これにより、扁平管の幅方向両側に誘導される冷媒量をより効果的に制御することができる。
【００２３】
本発明の第１０の観点に係る熱交換器は、第１から第５の観点のいずれかに係る熱交換器であって、仕切り部材は、円筒部材である。
【００２４】
この熱交換器は、円筒状の仕切り部材を有する。これにより、耐圧強度を向上させることができる。
【００２５】
本発明の第１１の観点に係る熱交換器は、第１から第１０の観点のいずれかに係る熱交換器であって、二相冷媒は、Ｒ３２冷媒である。
【００２６】
この熱交換器では、Ｒ３２冷媒を用いた場合であっても、二相冷媒をヘッダーの上方まで流すことができる。
【発明の効果】
【００２７】
本発明の第１観点に係る熱交換器では、熱交換性能を発揮させることができる。
【００２８】
本発明の第２観点に係る熱交換器では、異なる高さ位置に配置された各扁平管に対して適宜冷媒を送ることができる。
【００２９】
本発明の第３観点に係る熱交換器では、下流側に位置する扁平管の部分よりも、上流側に位置する扁平管の部分に対して多くの冷媒を誘導することができる。
【００３０】
本発明の第４観点に係る熱交換器では、耐圧強度を向上させることができる。
【００３１】
本発明の第５観点に係る熱交換器では、空気の流れ方向において下流側に位置する扁平管の第１部分と上流側に位置する扁平管の第２部分とに対して、異なる量の冷媒を効果的に導くことができる。
【００３２】
本発明の第６観点に係る熱交換器では、製造工数を減らすことができる。
【００３３】
本発明の第７観点に係る熱交換器では、空気の流れ方向において上流側の扁平管の端部に対して、より効果的に冷媒を導くことができる。
【００３４】
本発明の第８観点に係る熱交換器では、空気の流れ方向において上流側の扁平管の端部に対して、直接的に冷媒を導くことができる。
【００３５】
本発明の第９観点に係る熱交換器では、扁平管の幅方向両側に誘導される冷媒量をより効果的に制御することができる。
【００３６】
本発明の第１０観点に係る熱交換器では、耐圧強度を向上させることができる。
【００３７】
本発明の第１１観点に係る熱交換器では、Ｒ３２冷媒を用いた場合であっても、二相冷媒をヘッダーの上方まで流すことができる。
【図面の簡単な説明】
【００３８】
【図１】本発明の一実施形態に係る熱交換器の概略斜視図である。
【図２】冷媒回路に組み込まれた熱交換器の例を示す図である。
【図３】伝熱フィンの構成を示す部分拡大図である。
【図４】熱交換器の冷媒パスを示す図である。
【図５】第２ヘッダー内部の構成および第２ヘッダー内第４小空間から第２ヘッダー内第３小空間への冷媒の流れを示す図である。
【図６】第２ヘッダー内部の構成と、第２ヘッダー内第５小空間から第２ヘッダー内第２小空間への冷媒の流れおよび第２ヘッダー内第６小空間から第２ヘッダー内第１小空間への冷媒の流れとを示す図である。
【図７】第２ヘッダーの概略斜視図である。
【図８】図４のＩ−Ｉ断面のうち、第２ヘッダーの断面図である。
【図９】変形例Ａの熱交換器に関する第２ヘッダーの断面図である。
【図１０】変形例Ｂに係る熱交換器の冷媒パスを示す図である。
【図１１】変形例Ｂに係る第２ヘッダー内部の構成および第２ヘッダー内第４小空間から第２ヘッダー内第３小空間への冷媒の流れを示す図である。
【図１２】変形例Ｂに係る第２ヘッダー内部の構成と、第２ヘッダー内第５小空間から第２ヘッダー内第２小空間への冷媒の流れおよび第２ヘッダー内第６小空間から第２ヘッダー内第１小空間への冷媒の流れとを示す図である。
【図１３】変形例Ｂに係る第２ヘッダーの概略斜視図である。
【図１４】図１０のＩＩ−ＩＩ断面のうち、第２ヘッダーの断面図である。
【図１５】変形例Ｃの熱交換器に関する第２ヘッダーの断面図である。
【図１６】変形例Ｄの熱交換器に関する第２ヘッダーの断面図である。
【発明を実施するための形態】
【００３９】
以下、本発明に係る熱交換器１０の実施形態について、図面に基づいて説明する。本実施形態に係る熱交換器１０は、冷媒−空気熱交換器である。特に、本実施形態に係る熱交換器１０は、冷媒回路を循環する冷媒としてＲ３２の単独冷媒を使用する。なお、以下の実施形態は、本発明の１つの具体例であって、本発明の技術的範囲を限定するものではない。
【００４０】
（１）全体構成
図１は、本発明の一実施形態に係る熱交換器１０の概略斜視図である。熱交換器１０は、積層型熱交換器である。熱交換器１０は、空気を加熱源として、冷媒の蒸発器として機能する。
【００４１】
図２に、冷凍装置の冷媒回路に組み込まれた熱交換器１０の例を示す。図示しない別の利用側熱交換器から送られる高圧の液冷媒は、膨張弁３３で減圧されて低圧の気液二相冷媒となる。気液二相冷媒は、分流器２９によって各細管５７，５８，５９に分流されて、その後、熱交換器１０に送られる。
【００４２】
熱交換器１０は、主として、扁平多穴管（扁平管）１１と、伝熱フィン１２と、ヘッダー１３，１４とを有している。以下、各部の構成について詳細に説明する。
【００４３】
（２）各部の構成
（２−１）扁平多穴管
扁平多穴管１１は、アルミニウムまたはアルミニウム合金などの金属素材を用いて、押し出し成形等により製造される。
【００４４】
扁平多穴管１１は、伝熱面となる平面部と、冷媒が流れる複数の内部流路１１ａ（図３参照）とを有する。平面部は、長尺かつ幅広である。平面部の幅寸法は、約２５ｍｍである。平面部は、内部流路１１ａの上下に位置する。各扁平多穴管１１は、平面部を上下に向けた状態で、後述するヘッダー１３，１４に接続される。
【００４５】
平面部は、幅方向の第１端部が、空気の流れ方向に対して上流側に位置し、第１端部の反対側の端部（第２端部）が、空気の流れ方向に対して下流側に位置するように配置される（図１および図３参照）。
【００４６】
内部流路１１ａは、扁平多穴管１１の長手方向を貫通する。すなわち、内部流路１１ａは、平面部の長手方向に延びる。内部流路１１ａは、扁平多穴管１１の幅方向に複数並ぶように形成される。本実施形態では、図４に示すように、扁平多穴管１１が、１５個の内部流路１１ａを有する。
【００４７】
複数の扁平多穴管１１は、ヘッダー１３，１４の間で、上下方向に間隔をあけて複数段配列されている。一の扁平多穴管１１と他の扁平多穴管１１との間に形成された空間が、空気が流れる通風空間となる。
【００４８】
（２−２）伝熱フィン
図３に、伝熱フィン１２の構成を示す部分拡大図を示す。伝熱フィン１２は、アルミニウム製またはアルミニウム合金製のフィンである。伝熱フィン１２は、扁平多穴管１１に接している。伝熱フィン１２には、伝熱フィン１２の幅方向に沿って細長く延びる複数の切り欠き１２ａが形成されている。各切り欠き１２ａは、扁平多穴管１１の平面部が水平面に対して平行に差し込まれるように、伝熱フィン１２に形成されている。切り欠き１２ａの形状は、扁平多穴管１１の断面の外形にほぼ一致している。
【００４９】
（２−３）ヘッダー
ヘッダー１３，１４は、扁平多穴管１１を支持する機能と、冷媒を扁平多穴管１１の内部流路１１ａに導く機能と、内部流路１１ａから出た冷媒を集合させる機能とを有する管部材である。ここでは、図４における紙面左側のヘッダーを第１ヘッダー１３と呼び、紙面右側のヘッダーを第２ヘッダー１４と呼ぶ。
【００５０】
第１ヘッダー１３は、図４に示すように、主として、外側部材３１と、平板１３ａ〜１３ｃとからなる。一方、第２ヘッダー１４は、図４から図６に示すように、主として、外側部材４１と、平板１４ａ〜１４ｅと、仕切り部材４２とからなる。以下、外側部材３１，４１と、平板１３ａ〜１３ｃ，１４ａ〜１４ｅと、仕切り部材４２とについて詳細に説明する。
【００５１】
（２−３−１）外側部材
外側部材３１，４１は、上下方向に延びる円管状の部材である。外側部材３１，４１は、アルミニウム製またはアルミニウム合金製である。外側部材３１，４１は、ヘッダー１３，１４の外形を構成する。外側部材３１，４１は、複数の連続する小空間１３１〜１３４，１４１〜１４６を有する。複数の小空間１３１〜１３４，１４１〜１４６は、それぞれ、上下方向に延びる空間である。複数の小空間１３１〜１３４，１４１〜１４６は、外側部材３１，４１と後述する平板１３ａ〜１３ｃ，１４ａ〜１４ｅとによって形成される。より具体的に、複数の小空間１３１〜１３４，１４１〜１４６は、外側部材３１，４１の内周面（内壁）と、平板１３ａ〜１３ｃ，１４ａ〜１４ｅの面とによって形成される空間である。外側部材３１，４１の内径ｄ１は、扁平多穴管１１の幅寸法と同程度の寸法であり、約２５ｍｍ〜約２７ｍｍである（図８参照）。外側部材３１，４１の厚み寸法ｔ１は、約３ｍｍ〜約４ｍｍである（図８参照）。
【００５２】
外側部材３１，４１は、複数の扁平多穴管１１の長手方向先端を接合するための複数の接合部分３１ａ，４１ａを有する（図４および図７参照）。複数の接合部分３１ａ，４１ａは、外側部材の長手方向に沿って複数形成されている。具体的に、各接合部分３１ａ，４１ａは、扁平多穴管１１の先端部を挿し込むことが可能なように形成された幅広の挿し込み孔である（図７参照）。挿し込み孔３１ａ，４１ａは、外側部材４１の外面から内面に貫通するように形成されている。挿し込み孔３１ａ，４１ａに対し、ヘッダー１３，１４が延びる方向に交差するように扁平多穴管１１が挿入される（図４〜図６参照）。扁平多穴管１１の先端部が挿し込み孔３１ａ，４１ａに挿し込まれることで、ヘッダー１３，１４と扁平多穴管１１とが接続される。さらにロウ付け等によってヘッダー１３，１４に扁平多穴管１１が接合される。
【００５３】
図２および図４に示すように、外側部材３１，４１は、上下端が閉じられている。第１ヘッダー１３を構成する外側部材（第１ヘッダー外側部材）３１は、上部に、冷媒配管７１が接合される。また、第１ヘッダー外側部材３１は、下部に、分流器２９から延びる細管５７，５８，５９が接続されている。一方、第２ヘッダー１４を構成する外側部材（第２ヘッダー外側部材）４１には、第２ヘッダー１４の下方空間に送り込まれた冷媒を第２ヘッダー１４の上方空間に送り込むための連絡配管５４，５５が接合される。
【００５４】
（２−３−２）平板
平板１３ａ〜１３ｃ，１４ａ〜１４ｅは、図４〜図６に示すように、外側部材３１，４１の内部で縦に延びる空間を上下に仕切る部材である。言い換えると、平板１３ａ〜１３ｃ，１４ａ〜１４ｅは、外側部材３１，４１の内部空間を横切るように配置されている。具体的に、平板１３ａ〜１３ｃ，１４ａ〜１４ｅは、外側部材３１，４１が延びる方向に対して直交する方向に配置されロウ付けされている。
【００５５】
詳細には、平板１３ａ〜１３ｃは、第１ヘッダー外側部材３１の内部に、上下方向に並ぶ複数の小空間１３１〜１３４を形成する。より詳細には、平板１３ａ〜１３ｃは、第１ヘッダー外側部材３１の内部空間のうち下方空間を仕切ることによって、複数の小空間１３１〜１３４を形成する部材である。詳細には、図４に示すように、平板１３ａは、下から７段目の扁平多穴管１１と下から６段目の扁平多穴管１１との間の位置に設けられる。平板１３ｂは、下から５段目の扁平多穴管１１と下から４段目の扁平多穴管１１との間の位置に設けられる。平板１３ｃは、下から３段目の扁平多穴管１１と下から２段目の扁平多穴管１１との間の位置に設けられる。本実施形態では、平板１３ａ〜１３ｃによって、第１ヘッダー外側部材３１の内部には、４つの小空間１３１〜１３４が形成される。ここで、４つの小空間１３１〜１３４を、上方から順番に、第１ヘッダー内第１小空間１３１、第１ヘッダー内第２小空間１３２、第１ヘッダー内第３小空間１３３、および第１ヘッダー内第４小空間１３４とよぶ。
【００５６】
第１ヘッダー内第１小空間１３１は、上から１段目から２３段目までの２３の扁平多穴管１１と冷媒配管７１とを連通させる空間である。第１ヘッダー内第２小空間１３２は、上から２４段目および２５段目の２つの扁平多穴管１１と細管５７とを連通させる空間である。第１ヘッダー内第３小空間１３３は、上から２６段目および２７段目の２つの扁平多穴管１１と細管５８とを連通させる空間である。第１ヘッダー内第４小空間１３４は、上から２８段目および２９段目の２つの扁平多穴管１１と細管５９とを連通させる空間である。
【００５７】
一方、平板１４ａ〜１４ｅは、第２ヘッダー外側部材４１の内部で上下方向に並ぶ複数の小空間１４１〜１４６を形成する。詳細には、図４に示すように、平板１４ａは、上から８段目の扁平多穴管１１と上から９段目の扁平多穴管１１との間の位置に設けられる。平板１４ｂは、上から１５段目の扁平多穴管１１と上から１６段目の扁平多穴管１１との間の位置に設けられる。平板１４ｃは、上から２３段目の扁平多穴管１１と上から２４段目の扁平多穴管１１との間の位置に設けられる。平板１４ｄは、上から２５段目の扁平多穴管１１と上から２６段目の扁平多穴管１１との間の位置に設けられる。平板１４ｅは、上から２７段目の扁平多穴管１１と上から２８段目の扁平多穴管１１との間の位置に設けられる。本実施形態では、平板１４ａ〜１４ｅによって、第２ヘッダー外側部材４１の内部には、６つの小空間１４１〜１４６が形成される。ここで、６つの小空間１４１〜１４６を、上から順番に、第２ヘッダー内第１小空間１４１、第２ヘッダー内第２小空間１４２、第２ヘッダー内第３小空間１４３、第２ヘッダー内第４小空間１４４、第２ヘッダー内第５小空間１４５、および第２ヘッダー内第６小空間１４６とよぶ。
【００５８】
第２ヘッダー内第１小空間１４１は、上から１段目から８段目までの８つの扁平多穴管１１と連絡配管５４とを連通させる空間である。第２ヘッダー内第２小空間１４２は、上から９段目から１５段目までの７つの扁平多穴管１１と連絡配管５５とを連通させる空間である。第２ヘッダー内第５小空間１４５は、上から２６段目および２７段目の２つの扁平多穴管１１と、連絡配管５５とを連通させる空間である。第２ヘッダー内第６小空間１４６は、上から２８段目および２９段目の２つの扁平多穴管１１と、連絡配管５４とを連通させる空間である。
【００５９】
なお、平板１４ｃは、扁平多穴管１１から遠い位置に連通孔が形成されている。連通孔は、第２ヘッダー内第３小空間１４３と、第２ヘッダー内第４小空間１４４とを連通させる孔である。すなわち、第２ヘッダー内第３小空間１４３と、第２ヘッダー内第４小空間１４４とは、平板１４ｃに形成された孔を介して連通する（図５参照）。
【００６０】
（２−３−３）仕切り部材
仕切り部材４２は、第２ヘッダー外側部材４１が有する内部空間のうち、冷媒が自由に通過する流路（自由通過流路）４４の断面積を小さくするために用いられる部材である。ここで、断面積とは、第２ヘッダー１４が延びる方向に対して直交する方向に切断した横断面の面積である。本実施形態では、特に、上下方向に延びる自由通過流路４４を、扁平多穴管１１と仕切り部材４２とが存在する高さ位置で切断した部分の面積を自由通過流路４４の断面積とよぶ。より具体的には、自由通過流路４４の断面積は、図８に示す断面図のうち、扁平多穴管１１の端面から遠い位置にある仕切り部材４２の連続面４２ａと、外側部材４１の内周面とによって囲まれる部分（点でハッチングした部分）である。
【００６１】
仕切り部材４２は、図４〜図８に示すように、外側部材４１の内部空間で、鉛直方向に沿って延びる板状部材である。すなわち、仕切り部材４２は、外側部材４１の内部空間の高さ寸法と同程度の高さ寸法の垂直面（連続面）４２ａを有する。言い換えると、垂直面４２ａは、鉛直方向に連続して連続空間の内部を仕切る面である。仕切り部材４２の幅方向両端部は、図８に示すように、外側部材の内周面にそれぞれ接触させた状態でロウ付けされている。仕切り部材４２の下端部は、図４〜図６に示すように、平板１４ｃの上に載置された状態でロウ付けされている。
【００６２】
仕切り部材４２は、垂直面４２ａが、扁平多穴管１１の端面に対して所定の傾きを有するように配置される。具体的に、仕切り部材４２の幅方向において、空気の流れ方向下流側の第１端部（下流側端部）は、空気の流れ方向上流側の第２端部（上流側端部）よりも、扁平多穴管１１の端面に対して近い位置に配置されている。言い換えると、扁平多穴管１１の端面から仕切り部材４２の上流側端部までの距離は、扁平多穴管１１の端面から仕切り部材４２の下流側端部までの距離よりも大きい。
【００６３】
仕切り部材４２は、外側部材４１の内部空間を、縦に延びる２つの空間に仕切る。言い換えると、仕切り部材４２によって、外側部材４１の内部空間に縦に延びる２つの空間が形成される。２つの空間には、二相冷媒を上方に誘導する誘導空間（第１空間）４４と、二相冷媒を扁平多穴管１１に分配する分配空間（第２空間）４５とが含まれる。誘導空間４４は、２つの空間のうち、扁平多穴管１１から遠い位置に形成された空間である。誘導空間４４は、冷媒が自由に通過する流路（自由通過流路）である。言い換えると、誘導空間４４は、冷媒が上方へと誘導される誘導流路である。一方、分配空間４５は、２つの空間のうち、扁平多穴管１１に隣接する領域を含む空間である。
【００６４】
仕切り部材４２は、仕切り部材４２の長手方向に沿って複数の開口４２ｂを有する。複数の開口４２ｂは、仕切り部材４２の長手方向に沿って配置されるように垂直面４２ａに形成されている。複数の開口４２ｂは、仕切り部材４２の幅方向において、空気の流れ方向上流側に位置する端部（第１端部）に形成される。すなわち、複数の開口４２ｂは、垂直面４２ａのうち、仕切り部材４２の上流側端部近傍に形成される。開口４２ｂは、誘導空間４４と分配空間４５とを連通させる孔である。言い換えると、開口４２ｂは、誘導空間４４の冷媒を分配空間４５に誘導する誘導孔である。誘導空間４４を通って上方へ送られた冷媒は、開口４２ｂから分配空間４５に向けて噴き出され、その後、扁平多穴管１１の内部流路１１ａに吸い込まれる。
【００６５】
仕切り部材４２は、アルミニウム製またはアルミニウム合金製である。仕切り部材４２の厚み寸法ｔ２は、図８に示すように、約１ｍｍ〜２ｍｍである。仕切り部材４２の設置場所、および、扁平多穴管１１の端面に対する仕切り部材４２の垂直面の傾きは、ヘッダー１４内の冷媒（自由通過流路４４を流れる冷媒）が、小空間１４１〜１４３の上方まで流れるような流速となるように設計される。具体的に、仕切り部材４２の設置場所は、扁平多穴管１１が第２ヘッダー１４の中点Ｘまたは中点Ｘの近傍まで挿し込まれている状態で第２ヘッダー外側部材４１の内周面によって形成される内部空間を、約半分程度に狭めるように設計される。また、扁平多穴管１１の端面に対する垂直面の傾きは、空気の流れ方向上流側に位置する扁平多穴管１１の端部（扁平多穴管１１の上流側端部）に分配する冷媒量によって決定される。
【００６６】
（２−４）冷媒の流れ
膨張弁３３で減圧されて低圧となった冷媒は、上述したように、分流器２９によって各細管５７，５８，５９に分流されて、その後、第１ヘッダー１３の下３つの内部空間１３２，１３３，１３４に送られる（図２および図４参照）。具体的には、細管５７に分流された冷媒は、第１ヘッダー内第２小空間１３２へと流れ込み、細管５８に分流された冷媒は、第１ヘッダー内第３小空間１３３へ流れ込み、細管５９に分流された冷媒は、第１ヘッダー内第４小空間１３４へと流れ込む。
【００６７】
第１ヘッダー内第２小空間１３２に流れ込んだ冷媒は、扁平多穴管１１の内部流路１１ａに吸い込まれて第２ヘッダー内第４小空間１４４に流れ込む。第２ヘッダー内第４小空間１４４に流れ込んだ冷媒（気液二相冷媒）は、その後、図５に示すように、平板１４ｃに形成された連通孔を通って第２ヘッダー内第３小空間１４３に含まれる誘導空間（第１空間）４４に流れ込む。誘導空間４４へと流れ込んだ冷媒は、その後、上方に向かって流れると共に誘導孔４２ｂから分配空間（第２空間）４５に噴き出される。このとき、冷媒は、扁平多穴管１１の上流側端部に近い位置に向けて噴き出される。分配空間４５に噴き出された冷媒は、噴き出された高さ位置の近傍に配置された各扁平多穴管１１の内部流路１１ａに吸い込まれる（図５の矢印参照）。扁平多穴管１１の内部流路１１ａに吸い込まれた冷媒は、その後、第１ヘッダー内第１小空間１３１に流れ込んで集合する。
【００６８】
また、第１ヘッダー内第３小空間１３３に流れ込んだ冷媒は、扁平多穴管１１の内部流路１１ａに吸い込まれて第２ヘッダー内第５小空間１４５に流れ込む。第２ヘッダー内第５小空間１４５に流れ込んだ冷媒（気液二相冷媒）は、その後、図６に示すように、連絡配管５５を通って第２ヘッダー内第２小空間１４２に含まれる誘導空間（第１空間）４４に流れ込む。誘導空間４４へと流れ込んだ冷媒は、その後、上方に向かって流れると共に誘導孔４２ｂから分配空間（第２空間）４５に噴き出される。このとき、冷媒は、扁平多穴管１１の上流側端部に近い位置に向けて噴き出される。分配空間４５に噴き出された冷媒は、噴き出された高さ位置の近傍に配置された各扁平多穴管１１の内部流路１１ａに吸い込まれる（図５の矢印参照）。扁平多穴管１１の内部流路１１ａに吸い込まれた冷媒は、その後、第１ヘッダー内第１小空間１３１に流れ込んで集合する。
【００６９】
第１ヘッダー内第４小空間１３４に流れ込んだ冷媒は、扁平多穴管１１の内部流路１１ａに吸い込まれて第２ヘッダー内第６小空間１４６に流れ込む。第２ヘッダー内第６小空間１４６に流れ込んだ冷媒（気液二相冷媒）は、その後、図６に示すように、連絡配管５４を通って第２ヘッダー内第１小空間１４１に含まれる誘導空間（第１空間）４４に流れ込む。誘導空間４４へと流れ込んだ冷媒は、第２ヘッダー内第２小空間１４２に流れ込んだ冷媒と同様、その後、上方に向かって流れると共に誘導孔４２ｂから分配空間（第２空間）４５に噴き出される。このとき、冷媒は、扁平多穴管１１の上流側端部に近い位置に向けて噴き出される。分配空間４５に噴き出された冷媒は、噴き出された高さ位置の近傍に配置された各扁平多穴管１１の内部流路１１ａに吸い込まれる（図５の矢印参照）。扁平多穴管１１の内部流路１１ａに吸い込まれた冷媒は、その後、第１ヘッダー内第１小空間１３１に流れ込んで集合する。
【００７０】
このように、各小空間１４１〜１４３において、誘導空間４４を流れる冷媒は、誘導孔４２ｂから分配空間４５に噴き出されて各扁平多穴管１１に分流され、その後、扁平多穴管１１の内部流路１１ａを通って第１ヘッダー内第１小空間１３１で集合する。
【００７１】
第１ヘッダー内第１小空間１３１に流れ込んで集合した冷媒は、高圧のガス冷媒となって冷媒配管７１を介して図示しない圧縮機に流れる。
【００７２】
（３）特徴
（３−１）
上記実施形態では、外側部材４１によって形成される連続空間１４１〜１４３に仕切り部材４２を配置することによって、各連続空間１４１〜１４３の内側に誘導空間（第１空間）４４と分配空間（第２空間）４５とが形成される。二相冷媒は、誘導空間４４を通って上方に誘導され、その後、仕切り部材４２の連続面４２ａに形成された複数の開口４２ｂから分配空間４５に向けて噴き出される。複数の開口４２ｂは、空気の流れ方向に対して下流側に位置する扁平多穴管１１の第１部分（扁平多穴管１１の下流側端部）よりも、空気の流れ方向に対して上流側に位置する扁平多穴管１１の第２部分（扁平多穴管１１の上流側端部）に対して冷媒が多く流れるように形成される。
【００７３】
近年、空調機（特に、業務用空調機）に扁平多穴管を利用した熱交換器が利用されるようになってきた。また、熱交換器のコンパクト化や低コスト化を実現するため、従来の扁平多穴管よりも幅寸法の大きい扁平多穴管の利用の要望が高まった。ところで、熱交換器の熱交換能力を上げるためには、ヘッダーに接続されている全ての扁平多穴管に適量の冷媒を送る必要がある。特に、扁平多穴管の全ての内部流路１１ａに対して、適量の冷媒が送られることが好ましい。
【００７４】
ここで、空気の流れ方向に対して上流側に位置する扁平管の部分を流れる冷媒と、空気の流れ方向に対して下流側に位置する扁平管の部分を流れる冷媒とでは、熱負荷に大きな差が生じる。その結果、扁平多穴管の全ての内部流路１１ａに対して等しい量の冷媒を送ることとなると、熱交換性能を十分に発揮することが困難である。
【００７５】
そこで、上記実施形態に係る熱交換器１０では、扁平多穴管１１の上流側端部に対して、扁平多穴管１１の下流側端部よりも多くの冷媒が送られるように、仕切り部材４２の垂直面４２ａに誘導孔４２ｂが形成されている。これにより、熱交換器１０の熱交換性能を発揮させることができる。
【００７６】
（３−２）
上記実施形態に係る熱交換器１０では、複数の誘導孔４２ｂが、鉛直方向に沿って配置されるように垂直面（連続面）４２ａに形成されている。各扁平多穴管１１が外側部材４１に挿し込まれた高さ位置と、同程度の高さ位置に誘導孔４２ｂを形成することにより、異なる高さ位置に配置された各扁平多穴管１１に対して適宜冷媒を送ることができる。
【００７７】
（３−３）
上記実施形態に係る熱交換器１０は、誘導孔４２ｂが、扁平多穴管１１の下流側端部よりも、扁平多穴管１１の上流側端部に近い位置に形成されている。具体的に、誘導孔４２ｂは、仕切り部材４２の上流側端部（第２端部）近傍（すなわち、垂直面の上流側端部近傍）に形成される。これにより、空気の流れ方向に対して下流側に位置する扁平多穴管１１の部分（扁平多穴管１１の下流側部分）よりも、上流側に位置する扁平多穴管１１の部分（扁平多穴管１１の上流側部分）に対して多くの冷媒を誘導することができる。言い換えると、空気の流れ方向において上流側の扁平多穴管１１の端部に対して、直接的に冷媒を導くことができる。
【００７８】
（３−４）
上記実施形態に係る熱交換器１０は、円筒状の外側部材４１を有する。これにより、耐圧強度を向上させることができる。
【００７９】
（３−５）
上記実施形態に係る仕切り部材４２は、平板部材である。したがって、熱交換器１０の製造工数を減らすことができる。
【００８０】
（３−６）
上記実施形態に係る熱交換器１０は、仕切り部材４２の垂直面４２ａが扁平多穴管１１の端面に対して傾いている。すなわち、扁平多穴管１１の上流側端部に多くの冷媒が送られるように、垂直面４２ａが扁平多穴管１１の上流側端部に向けて配置されている。具体的に、垂直面４２ａの幅方向端部のうち、空気の流れ方向に対して下流側に位置する端部（下流側端部）が、空気の流れ方向に対して上流側に位置する端部（上流側端部）よりも扁平多穴管１１の端面に近い位置にくるように、仕切り部材４２は扁平多穴管１１の端面に対して傾けられている。これにより、扁平多穴管１１の上流側端部に対して、多くの冷媒を効果的に送ることができる。
【００８１】
（４）変形例
（４−１）変形例Ａ
上記実施形態に係る熱交換器１０では、平板状の仕切り部材４２を採用した。ここで、平板上の仕切り部材４２に代えて、図９に示すような、断面形状がＶ字形状の仕切り部材１４２を採用してもよい。
【００８２】
仕切り部材１４２は、外側部材４１の内部空間で、鉛直方向に沿って延びる。仕切り部材１４２は、外側部材４１の内部空間の高さ寸法と同程度の寸法の垂直面（連続面）１４２ａを有する。すなわち、垂直面１４２ａは、鉛直方向に連続して連続空間の内部を仕切る面である。
【００８３】
仕切り部材１４２の幅方向両端部は、図９に示すように、外側部材の内周面にそれぞれ接触させた状態でロウ付けされている。仕切り部材１４２の下端部は、上記実施形態に係る仕切り部材４２と同様、平板１４ｃの上に載置された状態でロウ付けされている。
【００８４】
仕切り部材１４２は、垂直面１４２ａが、扁平多穴管１１の端面に対して所定の傾きを有する。仕切り部材１４２は、幅方向中央部が、幅方向端部と比べて、扁平多穴管１１の端面から近い位置にある。具体的に、垂直面１４２ａは、空気の流れ方向上流側にある第１領域と、空気の流れ方向下流側にある第２領域とからなる。第１領域は、例えば、図９で示す扁平多穴管１１の幅方向中央部（すなわち、ヘッダー１４の中点Ｘ）を通る線ＣＬを基準に、風上側（左側）に位置する。第２領域は、図９で示す扁平多穴管１１の幅方向中央Ｘを基準に、風下側（右側）に位置する。垂直面１４２ａの第１領域は、空気の流れ方向下流側の第１端部（下流側端部）が、空気の流れ方向上流側の第２端部（上流側端部）よりも、扁平多穴管１１の端面に対して近い位置に配置されている。言い換えると、扁平多穴管１１の端面から仕切り部材１４２の上流側端部までの距離は、扁平多穴管１１の端面から仕切り部材１４２の下流側端部までの距離よりも大きい。垂直面１４２ａの第２領域は、空気の流れ方向下流側の第１端部（下流側端部）が、空気の流れ方向上流側の第２端部（上流側端部）よりも、扁平多穴管１１の端面に対して遠い位置に配置されている。言い換えると、扁平多穴管１１の端面から仕切り部材１４２の上流側端部までの距離は、扁平多穴管１１の端面から仕切り部材１４２の下流側端部までの距離よりも小さい。
【００８５】
複数の開口１４２ｂは、垂直面１４２ａの第１領域および第２領域の両方において、垂直面１４２ａの長手方向に沿って、それぞれ形成されている。具体的に、複数の開口１４２ｂは、各領域の空気の流れ方向上流側に形成される。ここで、垂直面１４２ａの第１領域に形成される開口１４２ｂの径の寸法は、垂直面１４２ａの第２領域に形成される開口１４２ｂの径の寸法より大きい。
【００８６】
仕切り部材１４２もまた、上記実施形態に係る仕切り部材４２と同様、アルミニウム製またはアルミニウム合金製である。仕切り部材１４２の厚み寸法は、約１ｍｍ〜２ｍｍである。仕切り部材１４２の設置場所、および、扁平多穴管１１の端面に対する仕切り部材４２の垂直面の傾きは、上記実施形態と同様、ヘッダー１４内の冷媒（自由通過流路４４を流れる冷媒）が、小空間１４１〜１４３の上方まで流れるような流速となり、かつ、扁平多穴管１１の各内部流路１１ａに所望する量の冷媒が送られるように設計される。
【００８７】
（４−２）変形例Ｂ
上記実施形態に係る熱交換器１０は、平板状の仕切り部材４２を採用した。ここで、平板状の仕切り部材４２に代えて、円筒状の仕切り部材６１を採用してもよい。
【００８８】
図１０〜図１４に、円筒状の仕切り部材６１を用いた熱交換器１００を示す。熱交換器１００では、冷媒が仕切り部材６１の内部空間を上方向に誘導されるように構成される。以下、上記実施形態と異なる態様を有する構成について具体的に説明する。
【００８９】
図１０に、変形例Ｂに係る熱交換器１００の冷媒パスを示す。熱交換器１００は、上記実施形態に係る熱交換器１０と同様、図２に示すような、冷凍装置の冷媒回路に組み込まれている。熱交換器１００は、上記実施形態に係る第２ヘッダー１４に代えて、第２ヘッダー１６を備える。
【００９０】
（４−２−１）第２ヘッダー
第２ヘッダー１６は、図１０から図１２に示すように、主として、外側部材６１と、平板１６ａ〜１６ｅと、仕切り部材６２ａ〜６２ｃとからなる。
【００９１】
外側部材６１は、複数の扁平多穴管１１の長手方向先端を接合するための複数の接合部分６１ａを有する（図１３参照）。複数の接合部分６１ａは、外側部材６１の長手方向に沿って複数形成されている。接合部分６１ａは、上記実施形態に係る接合部分４１ａと同様の構成を有する。なお、外側部材６１のその他の構成も、上記実施形態に係る外側部材４１の構成と同様であるので、説明は省略する。
【００９２】
平板１６ａ〜１６ｅは、第２ヘッダー外側部材６１の内部に、上下方向に連続する複数の小空間１６１〜１６６を形成する。各平板１６ａ〜１６ｅは、上記実施形態に係る平板１４ａ〜１４ｅに対応する位置に設けられる。本実施形態では、平板１６ａ〜１６ｅによって、第２ヘッダー外側部材６１の内部に、６つの小空間１６１〜１６６が形成される。ここで、６つの小空間１６１〜１６６を、上から順番に、第２ヘッダー内第１小空間１６１、第２ヘッダー内第２小空間１６２、第２ヘッダー内第３小空間１６３、第２ヘッダー内第４小空間１６４、第２ヘッダー内第５小空間１６５、および第２ヘッダー内第６小空間１６６とよぶ。
【００９３】
第２ヘッダー内第１小空間１６１は、上から１段目から８段目までの８つの扁平多穴管１１と連絡配管５４とを連通させる空間である。第２ヘッダー内第２小空間１６２は、上から９段目から１５段目までの７つの扁平多穴管１１と連絡配管５５とを連通させる空間である。第２ヘッダー内第５小空間１６５は、上から２６段目および２７段目の２つの扁平多穴管１１と、連絡配管５５とを連通させる空間である。第２ヘッダー内第６小空間１６６は、上から２８段目および２９段目の２つの扁平多穴管１１と、連絡配管５４とを連通させる空間である。
【００９４】
なお、平板１６ｃは、扁平多穴管１１から遠い位置に連通孔が形成されている。また、連通孔には、仕切り部材６２ａの下端部が挿し込まれる。連通孔は、第２ヘッダー内第３小空間１６３と、第２ヘッダー内第４小空間１６４とを連通させる孔である。すなわち、第２ヘッダー内第３小空間１６３と、第２ヘッダー内第４小空間１６４とは、平板１６ｃに形成された連通孔を介して連通する（図１１参照）。
【００９５】
（４−２−２）仕切り部材
仕切り部材６２ａ〜６２ｃもまた、第２ヘッダー外側部材６１が有する内部空間のうち、冷媒が自由に通過する流路（自由通過流路）６４の断面積を小さくするために用いられる部材である。ここで、断面積とは、第２ヘッダー１６が延びる方向に対して直交する方向に切断した面（横断面）の面積であり、自由通過流路６４の断面積とは、仕切り部材６２ａ〜６２ｃの内部空間の断面積である。より具体的には、自由通過流路６４の断面積とは、図１４のうち、点でハッチングした部分である。
【００９６】
図１０〜図１２に示すように、仕切り部材６２ａ〜６２ｃもまた、外側部材６１の内部空間のうち、扁平多穴管１１の端面から離れた位置に配置され、鉛直方向に沿って延びる円管状の部材である。
【００９７】
仕切り部材６２ａ〜６２ｃは、連続面６３ａを有する。連続面６３ａは、図１３に示すように、中心軸ｃ１周りに湾曲し、水平面に対して鉛直方向に連続して延びる面である。すなわち、連続面６３ａは、仕切り部材６２ａ〜６２ｃの内周面および外周面を構成する。連続面６３ａは、外側部材６１の内部空間の高さ寸法と同程度の寸法を有する。したがって、連続面６３ａは、外側部材６１の内部で連続する空間を、連続面６３ａに囲われる空間と、連続面６３ａの外側の空間とに仕切る。
【００９８】
具体的に、連続面６３ａは、外側部材６１内部に連続する空間を、縦に延びる２つの空間に仕切る。２つの空間には、二相冷媒を上方に誘導する誘導空間６４と、二相冷媒を扁平多穴管１１に分配する分配空間６５とが含まれる。誘導空間６４は、２つの空間のうち、扁平多穴管１１から遠い位置に形成された空間である。誘導空間６４は、冷媒が自由に通過する流路（自由通過流路）である。言い換えると、誘導空間６４は、冷媒が上方へと誘導される誘導流路である。誘導空間６４は、仕切り部材６２ａ〜６２ｃの内周面（内壁）、すなわち、連続面６３ａによって囲まれる空間である。一方、分配空間６５は、２つの空間のうち、扁平多穴管１１に隣接する領域を含む空間である。分配空間６５は、仕切り部材６２ａ〜６２ｃの外周面（外壁）と外側部材６１の内周面（内壁）とによって形成される空間（形成空間）である。言い換えると、分配空間６５は、連続面６３ａと外側部材６１の内壁とによって囲まれる空間である。
【００９９】
仕切り部材６２ａ，６２ｂの下端部は、連絡配管５４，５５の上端部と接合される。すなわち、仕切り部材６２ａ，６２ｂの下端部は、連絡配管５４，５５を通って送られた冷媒が仕切り部材６２ａ，６２ｂの内部空間６４に流れ込むように、連絡配管５４，５５の上端部と連結されている。また、仕切り部材６２ｃの下端部は、平板１６ｃに形成された孔に挿し込まれた状態でロウ付けされている。すなわち、仕切り部材６２ｃの下端部は、第２ヘッダー内第４小空間１６４で集合した冷媒を、第２ヘッダー内第３小空間１６３へと誘導するように、平板１６ｃに形成された孔に挿し込まれている。
【０１００】
仕切り部材６２ａ〜６２ｃは、複数の誘導孔６３ｂを有する。複数の誘導孔６３ｂは、仕切り部材６２ａ〜６２ｃの長手方向に沿って配置されるように連続面６３ａに形成されている。誘導孔６３ｂは、誘導空間６４と分配空間６５とを連通させる。誘導孔６３ｂは、分配空間６５において空気の流れ方向上流側に向けて冷媒が噴き出されるように、仕切り部材６２ａ〜６２ｃの連続面６３ａのうち、空気の流れ方向上流側に形成されている。
【０１０１】
仕切り部材６２ａ〜６２ｃもまた、上記実施形態に係る仕切り部材４２と同様、アルミニウム製またはアルミニウム合金製である。仕切り部材６２ａ〜６２ｃは、図１４に示すように、外側部材６１の内径ｄ１よりも小さな外径ｄ２を有する。仕切り部材６２ａ〜６２ｃの外径ｄ２は、ヘッダー１６内の冷媒が、小空間１６１〜１６３の上方まで流れるような流速となるように設計される。具体的に、仕切り部材６２ａ〜６２ｃの外径ｄ２は、扁平多穴管１１が第２ヘッダー１６の中点Ｘまたは中点Ｘの近傍まで挿し込まれている状態で、第２ヘッダー外側部材６１の内周面によって形成される内部空間を、約半分程度に狭めるように設計される。
【０１０２】
より具体的に、仕切り部材６２ａ〜６２ｃの外径ｄ２は、外側部材６１の内径ｄ１の半径ｄ１′よりも小さく、半径ｄ１′の１／２の寸法よりも大きい（１／２×ｄ１′＜ｄ２＜ｄ１′）。本実施形態では、仕切り部材６２ａ〜６２ｃの外径ｄ２は、約６ｍｍ〜約１３ｍｍである。仕切り部材の厚み寸法ｔ３は、約１ｍｍ〜約２ｍｍである。
【０１０３】
（４−２−３）冷媒の流れ
膨張弁３３で減圧されて低圧となった冷媒は、上記実施形態に係る熱交換器と同様、分流器２９によって各細管５７，５８，５９に分流されて、その後、第１ヘッダー１３の下３つの内部空間１３２，１３３，１３４に送られる（図２および図１０参照）。
【０１０４】
第１ヘッダー内第２小空間１３２に流れ込んだ冷媒は、扁平多穴管１１の内部流路１１ａに吸い込まれて第２ヘッダー内第４小空間１６４に流れ込む。第２ヘッダー内第４小空間１６４に流れ込んだ冷媒（気液二相冷媒）は、その後、図１１に示すように、平板１６ｃに挿し込まれた仕切り部材６２ｃの内部空間６４に吸い込まれ、第２ヘッダー内第３小空間１４３へと流れ込む。第２ヘッダー内第３小空間１４３へと流れ込んだ冷媒は、上方へ向けて流れると共に、誘導孔６３ｂから分配空間（形成空間）６５に向けて噴き出される。このとき、冷媒は、扁平多穴管１１の上流側端部に近い位置に向けて噴き出される。形成空間６５に噴き出された冷媒は、噴き出された高さ位置の近傍に配置された扁平多穴管１１の内部流路１１ａに吸い込まれる（図１１の矢印参照）。扁平多穴管１１の内部流路１１ａに吸い込まれた冷媒は、その後、第１ヘッダー内第１小空間１３１に流れ込んで集合する。
【０１０５】
また、第１ヘッダー内第３小空間１３３に流れ込んだ冷媒は、扁平多穴管１１の内部流路１１ａに吸い込まれて第２ヘッダー内第５小空間１６５に流れ込む。第２ヘッダー内第５小空間１６５に流れ込んだ冷媒（気液二相冷媒）は、その後、連絡配管５５を通って第２ヘッダー内第２小空間１６２に配置された仕切り部材６２ｂに流れ込む（図１２参照）。第２ヘッダー内第２小空間１６２の仕切り部材６２ｂに流れ込んだ冷媒は、上方へ向けて流れると共に、誘導孔６３ｂから形成空間６５に向けて噴き出される。このとき、冷媒は、扁平多穴管１１の上流側端部に近い位置に向けて噴き出される。分配空間６５に噴き出された冷媒は、噴き出された高さ位置の近傍に配置された扁平多穴管１１の内部流路１１ａに吸い込まれる（図１２の矢印参照）。扁平多穴管１１の内部流路１１ａに吸い込まれた冷媒は、その後、第１ヘッダー内第１小空間１３１に流れ込んで集合する。
【０１０６】
第１ヘッダー内第４小空間１３４に流れ込んだ冷媒は、扁平多穴管１１の内部流路１１ａに吸い込まれて第２ヘッダー内第６小空間１６６に流れ込む。第２ヘッダー内第６小空間１６６に流れ込んだ冷媒（気液二相冷媒）は、その後、連絡配管５４を通って第２ヘッダー内第１小空間１６１に配置された仕切り部材６２ｂに流れ込む（図１２参照）。第２ヘッダー内第２小空間１６２の仕切り部材６２ａに流れ込んだ冷媒は、第２ヘッダー内第２小空間１６２の仕切り部材６２ｂに流れ込んだ冷媒と同様、上方へ向けて流れると共に、誘導孔６３ｂから分配空間６５に向けて噴き出される。このとき、冷媒は、扁平多穴管１１の上流側端部に近い位置に向けて噴き出される。分配空間６５に噴き出された冷媒は、噴き出された高さ位置の近傍に配置された扁平多穴管１１の内部流路１１ａに吸い込まれる。扁平多穴管１１の内部流路１１ａに吸い込まれた冷媒は、その後、第１ヘッダー内第１小空間１３１に流れ込んで集合する。
【０１０７】
第１ヘッダー内第１小空間１３１に流れ込んで集合した冷媒は、高圧のガス冷媒となって冷媒配管７１を介して図示しない圧縮機に流れる。
【０１０８】
（４−２−４）特徴
上記実施形態に係る熱交換器１００は、仕切り部材６２ａ〜６２ｃの内部空間が冷媒を上方へと誘導する誘導流路（誘導空間）６４となる。また、仕切り部材６２ａ〜６２ｃが誘導孔６３ｂを有し、誘導流路６４を流れる冷媒は、誘導孔６３ｂから分配空間６５に噴き出される。誘導孔６３ｂから分配空間６５に噴き出された冷媒は、噴き出し位置の近傍に配置された扁平多穴管１１に分流される。接合部分６１ａを有する外側部材６１とは異なる部材の内部空間６４を冷媒が流れるため、外側部材６１の内径に関係なく、自由通過流路（誘導流路）６４の断面積を小さくすることができる。これにより、幅寸法の大きい扁平多穴管１１を外側部材６１に接続した場合であっても、ヘッダー内を流れる冷媒の流速を調整することが可能になる。
【０１０９】
また、空気の流れ方向において上流側に位置する扁平多穴管１１の端部（扁平多穴管１１の上流側端部）に向けて冷媒が噴き出されるように、仕切り部材６２ａ〜６２ｃの連続面（外壁）６３ａのうち空気の流れ方向上流側の部分に誘導孔６３ｂが形成されている。幅寸法の大きい扁平多穴管１１を用いた場合、扁平多穴管１１は、空気の流れ方向上流側の端部と空気の流れ方向下流側の端部とで、熱交換の負荷が大きく異なる。そのため、扁平多穴管１１の上流側端部に近い位置、具体的には、空気の流れ方向上流側の連続面６３ａの部分に誘導孔６３ｂを形成し、空気の流れ方向上流側から冷媒を吹き出すことにより、熱交換器１００の熱交換効率を向上させることができる。
【０１１０】
（４−３）変形例Ｃ
変形例Ｂに係る熱交換器１００は、仕切り部材６２ａ〜６２ｃの連続面６３ａに複数の誘導孔６３ｂが形成されており、誘導空間（誘導流路）６４を流れる冷媒は、複数の誘導孔６３ｂから分配空間６５に噴き出された。また、複数の誘導孔６３ｂは、分配空間６５において空気の流れ方向上流側に向けて冷媒が噴き出されるように、仕切り部材６２ａ〜６２ｃの連続面６３ａのうち、空気の流れ方向上流側の部分に形成されていた。ここで、誘導孔６３ｂは、仕切り部材６２ａ〜６２ｃの連続面６３ａのうち、空気の流れ方向上流側に加えて、空気の流れ方向下流側にも形成されてもよい（図１５参照）。このとき、空気の流れ方向上流側の連続面６３ａの部分に形成された誘導孔６３ｂの径が、空気の流れ方向下流側の連続面６３ａの部分に形成された誘導孔６３ｂの径よりも大きいことが好ましい。これにより、扁平多穴管１１の空気の流れ方向上流側の内部流路１１ａに多くの冷媒を送ることができる。
【０１１１】
幅寸法の大きい扁平多穴管１１では、扁平多穴管１１は、空気の流れ方向上流側端部と空気の流れ方向下流側端部とで熱交換の負荷が大きく異なる。そのため、空気の流れ方向下流側の連続面６３ａの部分に形成された誘導孔６３ｂよりも、空気の流れ方向上流側の連続面６３ａの部分に形成された誘導孔６３ｂから噴き出される冷媒の量を多くすることにより、熱交換器１００の熱交換効率を一層向上させることができる。
【０１１２】
（４−４）変形例Ｄ
上記実施形態に係る熱交換器１０，１００は、外側部材４１，６１として円筒状の部材を用いた。ここで、外側部材は、図１４に示すように、断面形状が雫形の外側部材８１であってもよい。
【０１１３】
図１４は、断面形状が雫形の外側部材８１を備えたヘッダー１８を示す。ヘッダー１８は、外側部材８１と、仕切り部材８２と、図示しない、上記実施形態と同様の平板１４ａ〜１４ｅとを有する。外側部材８１は、上述したように、断面形状が雫形である。外側部材８１は、上記実施形態と同様に、扁平多穴管１１を挿し込むための挿し込み孔を有する（図示なし）。挿し込み孔は、雫形の外側部材８１のうち、断面形状で尖った部分の近傍に形成される（図１４参照）。具体的に、挿し込み孔は、外側部材８１のうち、内径の小さい部分の近傍に設けられる。また、仕切り部材８２は、雫形の外側部材８１のうち、内径の大きい部分の近傍に配置される。なお、仕切り部材８２は、仕切り部材８２の幅方向が、扁平多穴管１１の長手方向と一致するように、外側部材８１によって囲われる内部空間に配置される。これにより、扁平多穴管１１の幅方向端部のうち、空気の流れ方向上流側の端部よりもさらに上流側に、仕切り部材８２と外側部材８１の内周面の一部とによって囲まれた空間が形成される。言い換えると、外側部材８１の内部空間には、仕切り部材８２を基準に、空気の流れ方向上流側に位置する誘導空間８４と、空気の流れ方向下流側に位置する分配空間８５とが形成される。
【０１１４】
仕切り部材８２は、外側部材８１が延びる方向に連続する連続面８２ａと、連続面８２ａに形成された誘導孔８２ｂとを有する。誘導孔８２ｂは、扁平多穴管１１の端面から離れた位置にある連続面８２ａの部分に形成される。誘導孔８２ｂは、上記実施形態と同様、連続面８２ａの長手方向に沿って配置されるように、複数形成されている。
【０１１５】
このような構成をとることにより、扁平多穴管１１の内部流路１１ａのうち、空気の流れ方向上流側に多くの冷媒を流すことができる。
【０１１６】
（４−５）変形例Ｅ
上記実施形態に係る熱交換器１０は、扁平多穴管１１の断面の形状にほぼ一致した切り欠き１２ａを有し、扁平多穴管１１の平面部が水平面に対して平行に差し込まれて用いられる伝熱フィン１２を備えた（図４参照）。ここで、伝熱フィンは、上記実施形態で用いた伝熱フィンに代えて、波形フィンであってもよい。波形フィンは、板状素材が扁平多穴管１１の長手方向に沿って波形に折り曲げられることによって構成されたフィンである。波形フィンは、山折りの部分が扁平多穴管１１の平面部の下面にロウ付け等によって接合され、谷折りの部分が扁平多穴管１１の平面部の上面にロウ付け等によって接合される。
【符号の説明】
【０１１７】
１０，１００    熱交換器（室外熱交換器）
１１            扁平多穴管（扁平管）
１２            伝熱フィン
１３            第１ヘッダー（ヘッダー）
１３ａ〜１３ｃ  平板
１４，１６，１８    第２ヘッダー（ヘッダー）
１４ａ〜１４ｅ，１６ａ〜１６ｅ  平板
３１            外側部材、第１ヘッダー外側部材
４１            外側部材、第２ヘッダー外側部材
４２            仕切り部材
４２ａ          垂直面（連続面）
４２ｂ          誘導孔（開口）
４４            自由通過流路、誘導流路，誘導空間（第１空間）
４５            形成空間、分配空間（第２空間）
６１            外側部材、第２ヘッダー外側部材
６２ａ〜６２ｃ  仕切り部材
６３ａ          連続面
６３ｂ          誘導孔（開口）
６４            自由通過流路、誘導流路，誘導空間（第１空間）
６５            形成空間、分配空間（第２空間）
８１            外側部材
８２            仕切り部材
８２ａ          垂直面（連続面）
８２ｂ          誘導孔（開口）
８４            自由通過流路、誘導流路，誘導空間（第１空間）
８５            形成空間、分配空間（第２空間）
１４２          仕切り部材
１４２ａ        垂直面（連続面）
１４２ｂ        誘導孔（開口）
１３１〜１３４，１４１〜１４６，１６１〜１６６  小空間
【先行技術文献】
【特許文献】
【０１１８】
【特許文献１】特開２０１１−０９９６６４号公報
【図１】
2014037899.tif 000003
【図２】
2014037899.tif 000004
【図３】
2014037899.tif 000005
【図４】
2014037899.tif 000006
【図５】
2014037899.tif 000007
【図６】
2014037899.tif 000008
【図７】
2014037899.tif 000009
【図８】
2014037899.tif 000010
【図９】
2014037899.tif 000011
【図１０】
2014037899.tif 000012
【図１１】
2014037899.tif 000013
【図１２】
2014037899.tif 000014
【図１３】
2014037899.tif 000015
【図１４】
2014037899.tif 000016
【図１５】
2014037899.tif 000017
【図１６】
2014037899.tif 000018